(57)【要約】【課題】  ショベルの作動シリンダーによって作動される切断能力に優れるカッター装置を提供する。【解決手段】  並設状態において互いに固定された一対の可動刃５と、一対の可動刃５が納められる一対の納め部７を備える固定刃９とを備え、一対の可動刃はそれぞれの基部１５がショベルの作動アーム１３に取り付けられた作動シリンダー１７のロッド１９端に回動可能に軸支されるとともに作動アーム１３の端部近傍に回動可能にリンク連結され、固定刃９の基部１１が作動アーム１３の端部に回動可能に軸支されるとともに、その途中部が可動刃５それぞれの途中部に回動可能に連結され、ロッド１９の伸び出し動作に伴って可動刃５と固定刃９とが連動して閉じられることで切断を行うカッター装置。【選択図】図２
2018193839.tif 000002
【特許請求の範囲】
【請求項１】
並設状態において互いに固定された一対の可動刃と、前記一対の可動刃が納められる一対の納め部を備える固定刃とを備え、
前記一対の可動刃はそれぞれの基部がショベルの作動アームに取り付けられた作動シリンダーのロッド端に回動可能に軸支されるとともに前記作動アームの端部近傍に回動可能にリンク連結され、
前記固定刃の基部が前記作動アームの端部に回動可能に軸支されるとともに、その途中部が前記可動刃それぞれの途中部に回動可能に連結され、
前記ロッドの伸び出し動作に伴って前記可動刃と前記固定刃とが連動して閉じられることで切断を行うこと特徴とするカッター装置。
【請求項２】
前記可動刃の前端に取り付けられる刃体が、側面形状において点対称の形状で両端に刃を備え、前記両端の刃が位置を入れ替え使用できる請求項１記載のカッター装置。
【請求項３】
前記刃体に、使用されない前記一方の刃を覆うカバー片が取り付けられてなる請求項２記載のカッター装置。
【発明の詳細な説明】
【技術分野】
【０００１】  この発明は、ショベルのアーム端に連結使用されるカッター装置に関する。
【背景技術】
【０００２】  土木工事現場等においてはショベルのアームに連結使用されるカッター装置によって大量の廃材等の切断を行っているが、現状のカッター装置は切断能力が十分でなかった。
【発明の概要】
【発明が解決しようとする課題】
【０００３】  この発明では、ショベルの作動シリンダーによって作動される切断能力に優れるカッター装置を提供する。
【課題を解決するための手段】
【０００４】  この発明では、並設状態において互いに固定された一対の可動刃と、前記一対の可動刃が納められる一対の納め部を備える固定刃とを備え、前記一対の可動刃はそれぞれの基部がショベルの作動アームに取り付けられた作動シリンダーのロッド端に回動可能に軸支されるとともに前記作動アームの端部近傍に回動可能にリンク連結され、前記固定刃の基部が前記作動アームの端部に回動可能に軸支されるとともに、その途中部が前記可動刃それぞれの途中部に回動可能に連結され、前記ロッドの伸び出し動作に伴って前記可動刃と前記固定刃とが連動して閉じられることで切断を行うこと特徴とするカッター装置を提供する。【０００５】  上記構成のカッター装置によれば、ショベルの作動アームに取り付けられた作動シリンダーのロッドの伸び出し作動に伴って可動刃のそれぞれと固定刃とが連動して閉じられることで被切断部物の切断が行われ、可動刃が２個あることで切断能力に優れる。可動刃のそれぞれと固定刃とが作動アームの作動シリンダーにより作動されるので、カッター装置をショベルの作動アームに取り付けるだけで、容易、かつ、安価に使用される。【０００６】
【０００７】  可動刃の前端に取り付けられる刃体が、側面形状において点対称の形状で両端に刃を備え、両端の刃が位置を入れ替え使用できる構成とされることで、一方の刃が使用により消耗し、また、損傷した場合には他方の刃が使用できる。刃体に使用されない一方の刃を覆うカバー片が取り付けられた構成とされることで、カバー片により使用されない刃が保護される。
【発明の効果】
【０００８】  この発明によれば、容易、かつ、安価に用いられる、切断能力に優れるショベル用のカッター装置が得られる。
【図面の簡単な説明】
【０００９】
【図１】  この発明のカッター装置の実施形態の取り付け状態側面図
【図２】  この発明のカッター装置の実施形態の開き時の斜視図
【図３】  この発明のカッター装置の実施形態の閉じ時の斜視図
【図４】  この発明のカッター装置の実施形態の分解斜視図
【図５】  この発明のカッター装置の可動刃の実施形態の斜視図
【図６】  この発明のカッター装置の実施形態の刃体取り付け説明斜視図
【図７】  この発明のカッター装置の実施形態の刃体取り付け断面図
【図８】  この発明のカッター装置の実施形態の切断動作説明図
【発明を実施するための形態】
【００１０】  図１はこの発明のカッター装置の取り付け状態側面図、図２は同開き時の斜視図、図３は同閉じ時の斜視図、図４はカッター装置の分解斜視図である。カッター装置１は一対の可動刃５と、一対の可動刃５のそれぞれを納める一対の納め部７を備える固定刃９とから構成される。
【００１１】  固定刃９は側面が湾曲形態で、その基部１１がショベルの作動アーム１３の端部に軸支ロッド１２により回動可能に軸支されて取り付けられている。固定刃９の納め部７のそれぞれには、前端と内側面とのそれぞれに合計９個の刃体８が取り付けられている。
【００１２】  一対の可動刃５は、図５に示すように、それぞれの前端部の近傍位置において固定ロッド６で、後端部の近傍位置において側面形状がコ字方の固定板４により互いに連結固定されている。可動刃５のそれぞれは基部１５のそれぞれが作動アーム１３に取り付けられた作動シリンダー１７のロッド１９端に軸支ロッド２０により回動可能に軸支されるとともに、基部１５のそれぞれは作動アーム１３の端部近傍に回動可能にリンク２１により連結されている。さらに、可動刃５のそれぞれは途中部が固定刃９の途中部に軸支ロッド２２により回動可能に連結されている。
【００１３】  可動刃５には、刃体取り付け部２７の両側面の上側に４個の刃体３０Ａが、前端面に１個の刃体３０Ｂが、前側の刃体３０Ａの前端と刃体３０Ｂとの間に一対の補助刃体３０Ｃがそれぞれ取り付けられ、合計７個の刃体３０Ａ、３０Ｂ、３０Ｃが取り付けられている。
【００１４】  図６、図７に示すように、刃体取り付け部２７の前端には取り付け板３１が溶接により固着されており、その前面に刃体３０Ｂが取り付けられるとともにその両側面の上部に刃体３０Ｃがそれぞれ取り付けられ、さらに、刃体３０Ｂを覆うように鉄製のカバー片４０が取り付けられている。取り付け板３１の前面とカバー片４０の背面には凹条３２、４２が、刃体３０Ｂの前面と背面には凸条３４が設けられ、取り付け板３１上にそれら凹条３２、４２と凸条３４とが合致される状態として刃体３０Ｂとカバー片４０とが配置され、固定ボルト４６、４８により固定される。凹条３２、４２と凸条３４とが設けられていることで、刃体３０Ｂとカバー片４０との位置決め配置が容易に行え、かつ、固定が安定して行われる。
【００１５】  刃体３０Ｂは側面形状において点対称の形状であり両端に刃３３を備えており、取り外して両端の位置を入れ替えることで両方の刃３３が使用でき、すなわち、使用する上部の刃３３が消耗し、また、損傷した場合には下部の刃３３が使用できる。カバー片４０は使用されない下部の刃３３と刃体３０Ｂの前面とを一体に覆って保護する。
【００１６】  上記カッター装置１は、ショベルの運転によって作動アーム１３が作動されて、開き状態の可動刃５と固定刃９との下方に被切断物品が位置するように配置され、その状態において作動アーム１３が下降されながら作動シリンダー１７が作動される。これによりロッド１９が伸び出すことで可動刃５のそれぞれはその基部１５が押され、それに固定刃９が連動回転することで可動刃５と固定刃９は閉じ状態となり、その間の被切断物品を切断する。
【００１７】  図８はその際の固定刃９と可動刃５との相対位置を示し、可動刃５が実線位置から点線位置に回転変位することで切断が行われる（固定刃９は固定状態に図示している）。その際、固定刃９と可動刃５とは刃体８と刃体３０Ａとの取り付け構造において、刃体８それぞれの接続部である凹み位置Ｘと刃体３０Ａそれぞれの接続部である凹み位置Ｙとが相対しないように配置されていることで、刃体８と刃体３０Ａとが近接して切断する際、被切断物品に押圧力がほぼ均等に及んで切断が良好に行われる。
【００１８】  上記カッター装置１は２個の可動刃５を備えていることで切断能力に優れ、多量の被切断物の切断が効率良く行われる。くわえて、上記の可動刃５における刃体８と刃体３０Ａとの取り付け構造によって、さらに高い切断性能を発揮する。
【符号の説明】
【００１９】  １    カッター装置
５    可動刃
７    納め部
９    固定刃
１１  基部
１３  作動アーム
１５  基部
１７  作動シリンダー
１９  ロッド
【図１】
2018193839.tif 000003
【図２】
2018193839.tif 000004
【図３】
2018193839.tif 000005
【図４】
2018193839.tif 000006
【図５】
2018193839.tif 000007
【図６】
2018193839.tif 000008
【図７】
2018193839.tif 000009
【図８】
2018193839.tif 000010